(57)【要約】【課題】  背上げ機能を有するベッドにおいて、背に対応するボトムを背上げする際に、臥床者の背部の動きに応じて背上げ機構を調節することにより、背上げ時に生ずる体への圧迫やズレを軽減する背上げ機構に関するものである。【解決手段】  ベッドのメインフレーム１に固定したアーム回転軸２と背ボトム５に取り付けた背ボトム回転軸６を伸縮可能なアーム３ａおよび３ｂで連結し、アーム回転軸２を中心にアーム３ａが回転することにより背上げを行うベッドで、アーム３ａの回転と共にアーム３ｂがアーム３ａに沿ってアーム回転軸２の反対方向に移動することにより両回転軸間の距離が広がる機構を有し、背ボトム５への背ボトム回転軸６の取り付け位置や、背上げ時のアーム回転軸２と背ボトム回転軸６間の距離が広がる速度を体格、臥床位置、マットレスの厚さ等に応じて調節する。【選択図】  図２
2005296580.tif 000002
【特許請求の範囲】
【請求項１】
背上げ機構を有するベッドにおいて、ベッドのメインフレームに固定したアーム回転軸と、背に対応する背ボトムに取り付けた背ボトム回転軸を伸縮可能なアームで連結し、メインフレームに固定したアーム回転軸を中心にアームが回転することにより背上げを行うベッドで、背上げに際してアームの回転と共にアームが伸びることにより両回転軸間の距離が広がる機構を有する背上げ機構。
【請求項２】
背ボトム回転軸の背ボトムへの取り付け位置およびアームの伸び率を調節可能とする。
【発明の詳細な説明】
【技術分野】
【０００１】  本発明は背上げ機能を有するベッドにおいて、背に対応するボトム（背ボトム）を背上げする際に、臥床者の背部の動きに合わせて背ボトムの動きを調節することにより背上げ時に生ずるズレや背部の圧迫を軽減させることの出来る背上げ機構に関するものである。
【背景技術】
【０００２】  近年、様々な背上げ機構を有するベッドが開発されてきている。従来のベッドでは、多くは、ベッドのボトムを背に対応する背ボトム、腰に対応する腰ボトム等に分割すると共に、屈曲可能に順次連結して構成し、背上げ機構によって背ボトムを、腰ボトムとの連結箇所を中心に回転させて傾斜調節するように構成している。このため、背ボトムを傾斜させると臥床者はマットレスを通して背ボトムから押し出されるように力を受けて、背部や腹部が圧迫され、ズレも生じて快適性が損なわれているのが現状であった。近年、背ボトムの傾斜と共に、背ボトムをベッド頭側にずらすようにして、背ボトムの傾斜時における屈曲箇所の空間を確保するようにした背上げ機構を有するベッドなども提案されているが、背ボトムの動きは固定されており、臥床者の体格、ベッドに対する臥床位置、マットレスの厚さなどの違いに合わせて調節できないため、ズレや圧迫を十分には軽減出来ない。
【特許文献１】特開平１１−４６９２６
【特許文献２】特開２０００−６０９０７
【特許文献３】特開２０００−８３７６０
【特許文献４】特開２０００−１４００３９
【発明の開示】
【発明が解決しようとする課題】
【０００３】  本出願人は上記の欠点を克服するため、まず臥床者の背部が背上げ中にどの様に移動するか、映像及びモデルを使ってシミュレートし、体格、臥床位置、マットレスの厚さなどの違いで背部の動きがどの様に異なるか検討した。この結果を基に、背上げ機構を備えたベッドにおいて、背上げ時に背ボトムを臥床者の背部の動きに合わせて挙上する事により、身体への圧迫やズレを可及的に抑制可能としたベッドにおける背上げ機構を提供することを目的とする。
【課題を解決するための手段】
【０００４】  本発明は上記の目的を達成するために、背上げ機構を有するベッドにおいて、メインフレームの臥床者の腰付近下部に固定したアーム回転軸と背ボトムに取り付けた背ボトム回転軸を伸縮可能なアームで連結し、メインフレームに固定したアーム回転軸を中心にアームが回転することにより背上げを行うベッドで、アームの回転と共にアームが伸びることにより両回転軸間の距離が広がる機構を有する。ここで、背ボトムは背上げに伴う背部の動きにつれて受動的に背ボトム回転軸を中心に回転可能とする。また、背ボトム回転軸の背ボトムへの取り付け位置や背上げに伴うアームの伸び率は可変とし、臥床者の体型、臥床位置やマットレスの厚さなどにあわせて至適位置に調節可能とする。
【発明の効果】
【０００５】  本発明において背ボトム回転軸の背ボトムへの取り付け位置を臥床者の体型や臥床位置に合わせて調節することと、背ボトムが背部の動きに従って背ボトム回転軸を中心に回転可能とすることで、従来の背上げ機構を持つベッドで背上げしたときに見られる背部と背ボトム間の角度の差が解消でき、背部が広い面で背ボトムに支えられることから背部の圧迫感が減少する。また、背上げ時のアームの伸び率を臥床者の背部の動きに合わせて調節することにより、背部とベッドの背部支持面が同じ軌跡を動くことが出来るので背部とベッド間に生じるズレも軽減することが出来る。
【発明を実施するための最良の形態】
【０００６】  本発明にかかる背上げ機構を有するベッドについて一つの実施例を示し、添付の図面を参照しながら以下説明する。図１は背上げ機構を中心にベッドの一部を示してある。このベッドはベッドのメインフレーム１に固定されたアーム回転軸２と背ボトム５に背ボトム回転軸取り付け金具７により取り付けされた背ボトム回転軸６とがアーム３ａおよびアーム３ｂで連結された構造を有している。アームは左右一対とし、左右のアーム３ａはアーム回転軸２の反対側端部付近で連結棒９にて連結されている。また、左右のアーム３ｂは連結棒８にて連結されている。【０００７】  アーム３ｂはアーム３ａ上をアーム３ａに沿って移動可能とし、背上げに際してはアーム３ａが駆動装置によりアーム回転軸２を中心に回転すると共に、アーム３ｂがアーム３ａ上をアーム回転軸から遠ざかる方向へ移動させ、アーム回転軸２と背ボトム回転軸６間の距離を広げる。このとき背ボトム５は臥床者の背部の動きに従って背ボトム回転軸６を中心に受動的に回転可能とする。（図２）【０００８】  背ボトム回転軸６の背ボトム５への背ボトム回転軸取り付け金具７による取り付け位置は可変とし、臥床者の肩胛骨部と腰部の間に相当する部位で臥床者の体型や好みに合わせて調節する。また、背上げ時のアーム回転軸２と背ボトム回転軸６間の距離が広がる速度、つまりアーム３ｂがアーム３ａ上をアーム回転軸の反対方向に移動する速度も可変とし、臥床者の体格、臥床位置やマットレスの厚さなどに応じて調節する。【０００９】  アームの伸長機構としては電動機構等も考えられるが、図３の如くベルトを使用して伸長を調節することも考えられる。図３においてベルト１０は一端をアーム３ｂ連結棒８の中央付近に固定し、アーム３ａ連結棒９の中央付近に取り付けたローラー１１、両側のアーム３ａの中央下部を連結するローラー取り付け棒１２の中央付近に取り付けたローラー１３を経由してメインフレームに取り付けたベルト固定金具１４に取り付ける。このアーム伸長機構ではローラー１３とメインフレームに取り付けたベルト固定金具１４のベルト固定位置との距離がアーム３ａの回転に伴って広がることにより、アーム３ｂはアーム３ａ上をアーム回転軸２の反対方向へ移動する。アーム３ａの回転に伴うアーム３ｂの移動速度はローラー取り付け棒１２のアーム３ａへの取り付け位置とベルトの長さを変更することにより可能である。背下げ時のアーム３ｂの移動はバネ等の弾性体を用いてアーム回転軸の方向へ牽引することにより行われる。【００１０】  アームの伸縮機構に関しては本例以外に、アーム３ｂをアーム３ａのアーム回転軸２と反対側端付近に固定し、アーム３ａ自体が伸縮する機構も考えられる。
【産業上の利用可能性】
【００１１】  本発明によれば、臥床者の体格、臥床位置、ベッドマットレスの厚さなどに応じて背上げ機構を調節でき、体の動きにそった背上げが可能なので、一層体に負担の少ない背上げが可能となり、長期臥床者など背上げの必要な使用者の福音となる。
【図面の簡単な説明】
【００１２】
【図１】  本発明にかかるベッド背上げ機構の一実施例と、その背上げ機構部分の模範的な側面説明図である。
【図２】  図１に示すベッドにおける背ボトムの挙上途中を示した側面説明図である。
【図３】  図２におけるベルトを使用したアーム伸縮機構の説明図である。
【符号の説明】
【００１３】    １  メインフレームの一部
２  アーム回転軸
３ａ  アーム
３ｂ  アーム
４  腰ボトム
５  背ボトム
６  背ボトム回転軸
７  背ボトム回転軸取り付け金具
８  アーム３ｂ連結棒
９  アーム３ａ連結棒
１０  ベルト
１１  ローラー
１２  ローラー取り付け棒
１３  ローラー
１４  ベルト固定金具
【図１】
2005296580.tif 000003
【図２】
2005296580.tif 000004
【図３】
2005296580.tif 000005